(57)【特許請求の範囲】
【請求項１】
移動式家具の底面に付設され、当該移動式家具の床面への固定に供される移動式家具のストッパ装置であって、
前記移動式家具の底面に固着される取付ベースと、
前記取付ベースに揺動自在に支持され、前記床面に圧接することで前記移動式家具の移動を防止する一対の圧接部を有するとともに、当該床面に当該圧接部が圧接する固定位置と、当該床面から当該圧接部が離間する格納位置との間で揺動するストッパ本体と、
前記ストッパ本体を前記固定位置と前記格納位置とに駆動するストッパ駆動手段とを備え、
前記ストッパ本体と前記取付ベースとの少なくとも一方には、当該ストッパ本体と当該取付ベースとの間隙を前記両圧接部の中間位置から当該両圧接部に向かうに連れてそれぞれ小さくさせる第１傾斜面と第２傾斜面とが形成され、
前記ストッパ駆動手段は、
前記ストッパ本体と前記取付ベースとの間に介装され、前記第１傾斜面に沿って前記圧接部側に進入することで当該ストッパ本体を前記固定位置側に駆動する駆動部がその先端に形成された第１リンクと、
前記ストッパ本体と前記取付ベースとの間に介装され、前記第２傾斜面に沿って前記圧接部側に進入することで当該ストッパ本体を前記固定位置側に駆動する駆動部がその先端に形成された第２リンクと、
前記取付ベースに中間部が回動自在に支持され、一端に前記第１および第２リンクの基端が連結されるとともに、その回動時に当該第１および第２リンクの基端を前記第１，第２傾斜面側に進退させることで当該第１および第２リンクの駆動部を前記第１および第２傾斜面に対して進退させる操作レバーとを備えたことを特徴とする移動式家具のストッパ装置。
【請求項２】
前記第１および第２リンクの駆動部には、前記第１および第２傾斜面に転接する転動体がそれぞれ保持されたことを特徴とする、請求項１に記載された移動式家具のストッパ装置。
【請求項３】
前記操作レバーには、前記ストッパ本体に係合して当該ストッパ本体を前記格納位置側に駆動する係合部が形成されたことを特徴とする、請求項１または請求項２に記載された移動式家具のストッパ装置。
【請求項４】
前記取付ベースには、前記第１および第２リンクの基端を案内する基端ガイドが形成されたことを特徴とする、請求項１〜請求項３のいずれか一項に記載された移動式家具のストッパ装置。
【発明の詳細な説明】
【技術分野】
【０００１】
本発明は、オフィス用ワゴン等に付設されるストッパ装置に係り、詳しくは信頼性や耐久性を向上させる技術に関する。
【背景技術】
【０００２】
オフィスでは、引出しを備えたワゴンを事務用デスクの下に設置し、引出しに筆記用具や書類等を収納することが一般に行われている。この種のワゴンには、床面上での移動を容易にするためのキャスタと、不用意な移動を防ぐストッパ機構とがその底部に取り付けられることが多い。ワゴン用のストッパ機構としては、キャスタの内周に設けられた歯車状の係止部と、係止部に係合する板状の規制部と、規制部を駆動するための操作レバーとからなるもの（特許文献１参照）や、カップ状の一対の圧接部が下面に設けられた矩形のストッパパーツと、ストッパパーツを上下動させるスライドパーツと、スライドパーツを駆動するレバー体とからなるもの（特許文献２参照）が提案されている。
【先行技術文献】
【特許文献】
【０００３】
【特許文献１】実公平７−１０５７８号公報
【特許文献２】特開２００８−１８８３６１号公報
【発明の概要】
【発明が解決しようとする課題】
【０００４】
特許文献１のストッパ機構には、内周に歯車状の係止部を設けることでキャスタの外径が大きくなる他、操作レバーと規制部との間に連結レバーや戻りばねが介装されることで部品点数が多くなる等の問題があった。また、特許文献２のストッパ機構には、スライドパーツがストッパパーツの中央部を押し下げる構造であるため、支持剛性が低くなって両圧接部の中間点を支点としてワゴンが揺動する虞があった。また、ストッパパーツは非駆動時に付勢手段であるねじりコイルばねによって上方に格納されるが、ストッパ機構の作動時にはねじりコイルばねが常にねじられた状態となるため、長期間の使用に伴う疲労によってねじりコイルばねが折損してストッパパーツが格納されなくなる虞もあった。
【０００５】
本発明は、このような背景に鑑みなされたもので、信頼性や耐久性に優れたストッパ装置を提供することを目的とする。
【課題を解決するための手段】
【０００６】
本発明の第１の側面では、移動式家具（１）の底面（５）に付設され、当該移動式家具の床面（９）への固定に供される移動式家具のストッパ装置（１０）であって、前記移動式家具の底面に固着される取付ベース（１２）と、前記取付ベースに揺動自在に支持され、前記床面に圧接することで前記移動式家具の移動を防止する一対の圧接部（１４）を有するとともに、当該床面に当該圧接部が圧接する固定位置と、当該床面から当該圧接部が離間する格納位置との間で揺動するストッパ本体（１３）と、前記ストッパ本体を前記固定位置と前記格納位置とに駆動するストッパ駆動手段（１５）とを備え、前記ストッパ本体と前記取付ベースとの少なくとも一方には、当該ストッパ本体と当該取付ベースとの間隙を前記両圧接部の中間位置から当該両圧接部に向かうに連れてそれぞれ小さくさせる第１傾斜面（３１）と第２傾斜面（３２）とが形成され、前記ストッパ駆動手段は、前記ストッパ本体と前記取付ベースとの間に介装され、前記第１傾斜面に沿って前記圧接部側に進入することで当該ストッパ本体を前記固定位置側に駆動する駆動部（４３）がその先端に形成された第１リンク（４１）と、前記ストッパ本体と前記取付ベースとの間に介装され、前記第２傾斜面に沿って前記圧接部側に進入することで当該ストッパ本体を前記固定位置側に駆動する駆動部（４４）がその先端に形成された第２リンク（４２）と、前記取付ベースに中間部が回動自在に支持され、一端に前記第１および第２リンクの基端（４１ａ，４２ａ）が連結されるとともに、その回動時に当該第１および第２リンクの基端を前記第１，第２傾斜面側に進退させることで当該第１および第２リンクの駆動部を前記第１および第２傾斜面に対して進退させる操作レバー（１１）とを備えた。
【０００７】
また、第２の側面では、前記ストッパ本体と前記取付ベースとの少なくとも一方には、当該ストッパ本体と当該取付ベースとの間隙を前記両圧接部の中間位置から当該両圧接部に向かうに連れてそれぞれ小さくさせる第１傾斜面（３１）と第２傾斜面（３２）とが形成され、前記ストッパ駆動手段は、前記ストッパ本体と前記取付ベースとの間に介装され、前記第１傾斜面に沿って前記圧接部側に進入することで当該ストッパ本体を前記固定位置側に駆動する駆動部（４３）がその先端に形成された第１リンク（４１）と、前記ストッパ本体と前記取付ベースとの間に介装され、前記第２傾斜面に沿って前記圧接部側に進入することで当該ストッパ本体を前記固定位置側に駆動する駆動部（４４）がその先端に形成された第２リンク（４２）と、前記取付ベースに中間部が回動自在に支持され、一端に前記第１および第２リンクの基端（４１ａ，４２ａ）が連結されるとともに、その回動時に当該第１および第２リンクの基端を前記第１，第２傾斜面側に進退させることで当該第１および第２リンクの駆動部を前記第１および第２傾斜面に対して進退させる操作レバー（１１）とを備えた。
【０００８】
また、第３の側面では、前記第１および第２リンクの駆動部には、前記第１および第２傾斜面に転接する転動体（４５）がそれぞれ保持された。
【０００９】
また、第４の側面では、前記操作レバーには、前記ストッパ本体に係合して当該ストッパ本体を前記格納位置側に駆動する係合部（４７）が形成された。
【００１０】
また、第５の側面では、前記取付ベースには、前記第１および第２リンクの基端を案内する基端ガイド（５５）が形成された。
【発明の効果】
【００１１】
第１の側面に係るストッパ装置では、ストッパ駆動手段によってストッパ本体が固定位置と前記格納位置との双方に駆動されるため、戻りばねやねじりコイルばねを採用する必要が無くなってこれらの折損に起因する作動不良等が起こり得なくなる。また、第２の側面に係るストッパ装置では、ストッパ本体の固定位置で第１，第２リンクの駆動部が圧接部側に各々進入するため、支持剛性が向上して移動式家具が揺動し難くなる。また、第３の側面に係るストッパ装置では、駆動部が第１，第２傾斜面上を円滑に移動するようになり、作動性や耐久性の向上が実現される。また、第４の側面に係るストッパ装置では、操作レバーそのものによってストッパ本体が格納位置に駆動されるため、部品点数や組立工数が削減される。また、第５の側面に係るストッパ装置では、第１，第２リンクの基端が規定の軌跡をもって移動することになり、作動の正確性や安定性が向上する。
【図面の簡単な説明】
【００１２】
【図１】実施形態に係るストッパ装置が取り付けられた移動式家具を示す斜視図である。
【図２】実施形態に係るストッパ装置の下方から見た斜視図である。
【図３】実施形態に係るストッパ装置の下方から見た分解斜視図である。
【図４】実施形態に係るストッパ本体の斜視図である。
【図５】実施形態に係るストッパ装置のワゴン固定時における作動説明図である。
【図６】実施形態に係るストッパ装置のワゴン固定時における作動説明図である。
【図７】実施形態に係るストッパ装置のワゴン固定時における作動説明図である。
【図８】実施形態に係るストッパ装置の解除時における作動説明図である。
【図９】実施形態に係るストッパ装置の解除時における作動説明図である。
【図１０】実施形態に係るストッパ装置の解除時における作動説明図である。
【発明を実施するための形態】
【００１３】
以下、図面を参照して、本発明をオフィス用ワゴンのストッパ装置に適用した実施形態を詳細に説明する。なお、各部材の説明にあたっては、図中に上下・左右・前後を矢印で示し、位置や方向をこれらに沿って表記する。
【００１４】
≪実施形態の構成≫
図１に示すように、ワゴン１は、上下３段の引出し２〜４を備えるとともに、底面５の前後左右にキャスタ６を有しており、使用者が力を加えることによってオフィスの床面９を自由に移動する。図２にも示すように、ワゴン１の底面５の前部中央にはストッパ装置１０が取り付けられており、使用者は、操作レバー１１を操作することで床面９上の所望の位置でワゴン１を固定できる。
【００１５】
図３に示すように、ストッパ装置１０は、嵌め込みによってワゴン１の底面５に固着一体化される取付ベース１２と、取付ベース１２に揺動自在に支持されるストッパ本体１３と、ストッパ本体１３に取り付けられる左右一対のストッパカップ１４（圧接部）と、ストッパ本体１３を格納位置と固定位置とに駆動するストッパ駆動機構１５とから構成されている。ストッパ装置１０は、ストッパカップ１４がポリウレタンの成型品であるが、他の構成部品は全て硬質樹脂の射出成型品である。
【００１６】
ストッパ本体１３は、その左右側面に突設された一対の揺動軸３０を有しており、これら揺動軸３０が取付ベース１２に形成された支持孔２１に嵌入することで取付ベース１２に連結される。図４に示すように、ストッパ本体１３は、その後部上面に左右方向中央側から左右ストッパカップ１４側に向けて取付ベース１２との間隔を狭める第１，第２傾斜面３１，３２を有する一方、後端中央から前方に向けて延設されて先端が取付ベース１２側に湾曲した格納被動片３３を有している。また、ストッパ本体１３の後端からは左右一対の係止爪３４が後方に突設されており、これら係止爪３４が取付ベース１２の後端下部に形成された左右一対の係止突起２２に係合することにより、ストッパ本体１３の過剰な揺動が規制される。なお、第１，第２傾斜面３１，３２の上部（左右ストッパカップ１４側）には、平坦面３５，３６がそれぞれ形成されている。
【００１７】
ストッパ駆動機構１５は、前述した操作レバー１１と、基端４１ａ，４２ａが操作レバー１１の駆動端１１ａに連結される第１，第２リンク４１，４２と、第１，第２リンク４１，４２の先端４１ｂ，４２ｂにそれぞれ形成された駆動部４３，４４に保持されたボール４５とから構成されている。操作レバー１１は、どちらも板状の操作部４６および駆動力伝達部４７からなるＬ字形状を呈しており、操作部４６と駆動力伝達部４７との連続部位に取付ベース１２から立設された支持ピン２３が嵌入するピボットボス４８が形成される一方、駆動端１１ａ（駆動力伝達部４７の先端）に第１リンク４１の基端４１ａに形成された連結軸４９が遊嵌する連結孔５１（長孔）が形成されている。
【００１８】
第１リンク４１の駆動部４３の上面にはガイドピン５２が突設されており、このガイドピン５２が取付ベース１２に形成された第１ガイド孔２４に案内されることにより、駆動部４３がストッパ本体１３の第１傾斜面３１に沿って移動する。第２リンク４２の駆動部４４の上面にもガイドピン５３が突設されており、このガイドピン５３が取付ベース１２に形成された第２ガイド孔２５に案内されることにより、駆動部４４がストッパ本体１３の第２傾斜面３２に沿って移動する。なお、第１リンク４１の連結軸４９は、第２リンク４２の基端４２ａに形成された連結孔５４と操作レバー１１の連結孔５１とを貫通するとともに、取付ベース１２の左右方向略中央で前後方向に延びる第３ガイド孔５５に嵌入しており、これにより第１，第２リンク４１，４２の基端４１ａ，４２ａが取付ベース１２に形成された第３ガイド孔５５に沿って案内される。
【００１９】
≪実施形態の作用≫
（ワゴンの固定）
使用者は、ワゴン１をオフィスの床面９上で所望の位置に移動させた後、図５中に矢印で示すように操作レバー１１を左回りに回転させる。すると、操作レバー１１の駆動端１１ａが第１，第２リンク４１，４２の基端４１ａ，４２ａと伴に第３ガイド孔５５に沿って後方に移動し、第１，第２リンク４１，４２の駆動部４３，４４が第１，第２ガイド孔２４，２５に沿って左右に移動する。これにより、図６中に矢印で示すように両駆動部４３，４４に保持されたボール４５も第１，第２傾斜面３１，３２上を左右に転動して平坦面３５，３６に乗り上げ、図７に矢印で示すように取付ベース１２とストッパ本体１３の後部との間隔が拡げられることで、ストッパ本体１３が揺動軸３０を中心にして下方に揺動してストッパカップ１４が床面９に圧着する。この際、両ストッパカップ１４側にそれぞれボール４５が位置することになるため、ストッパ本体１３による支持剛性が向上して取付ベース１２（すなわち、ワゴン１）が揺動し難くなる。
【００２０】
（ストッパの解除）
一方、使用者は、固定されているワゴン１を移動させる場合、図８中に矢印で示すように操作レバー１１を右回りに回転させる。すると、操作レバー１１の駆動端１１ａが第１，第２リンク４１，４２の基端４１ａ，４２ａと伴に第３ガイド孔５５に沿って前方に移動し、第１，第２リンク４１，４２の駆動部４３，４４が第１，第２ガイド孔２４，２５に沿って中心側に移動する。これにより、図９中に矢印で示すように両駆動部４３，４４に保持されたボール４５も第１，第２傾斜面３１，３２上を中心側に転動し、ストッパ本体１３が上方に揺動可能となる（すなわち、取付ベース１２とストッパ本体１３の後部との間隔が狭まることができる）。一方、操作レバー１１が右方向に回転すると、駆動力伝達部４７が格納被動片３３に係合してこれを押し下げるかたちで駆動し、図１０に矢印で示すように、ストッパ本体１３が揺動軸３０を中心にして上方に揺動してストッパカップ１４が床面９から離れる。本実施形態では、このようにストッパの解除にばねを用いないため、従来装置で問題となっていたばねの折損に起因する作動不良が起こらなくなる。
【００２１】
以上で具体的実施形態の説明を終えるが、本発明の態様はこれら実施形態に限られるものではない。例えば、上記実施形態ではストッパ本体側に傾斜面を設けるようにしたが、取付ベース側に傾斜面を設けてもよいし、ストッパ本体側と取付ベース側との双方に傾斜面を設けてもよい。また、上記実施形態では、第１，第２リンクの駆動部に保持されたボールをストッパ本体の傾斜面に転接させるようにしたが、ボールに代わる転動体としてローラ等を採用してもよいし、駆動部に四弗化エチレン樹脂等の低摩擦材を固着させてこれを傾斜面に摺接させるようにしてもよい。また、上記実施形態では第１，第２リンクの駆動部を取付ベースに形成されたガイド孔によって案内させるようにしたが、ガイド孔に代えてガイド溝やガイド突起を採用してもよいし、ガイド孔やガイド突起を取付ベース側に設けるようにしてもよい。その他、本発明の主旨を逸脱しない範囲であれば、取付ベースやストッパ本体、ストッパ駆動手段等の具体的形状や構成等についても適宜変更可能である。
【符号の説明】
【００２２】
１      ワゴン（移動式家具）
９      床面
１０    ストッパ装置
１１    操作レバー
１２    取付ベース
１３    ストッパ本体
１４    ストッパカップ（圧接部）
１５    ストッパ駆動機構
３０    揺動軸
３１    第１傾斜面
３２    第２傾斜面
３３    格納被動片
３４    係止爪
４１    第１リンク
４２    第２リンク
４３    駆動部
４４    駆動部
４５    ボール
４６    操作部
４７    駆動力伝達部（係合部）
５５    第３ガイド孔（基端ガイド）
【図１】
0005622671.tif 000002
【図２】
0005622671.tif 000003
【図３】
0005622671.tif 000004
【図４】
0005622671.tif 000005
【図５】
0005622671.tif 000006
【図６】
0005622671.tif 000007
【図７】
0005622671.tif 000008
【図８】
0005622671.tif 000009
【図９】
0005622671.tif 000010
【図１０】
0005622671.tif 000011